(57)【要約】【課題】上部連結材の支柱の上端部への連結強度を高め、耐震性を高める。【解決手段】上部連結材１４は、棒状の連結バー２０と、連結バー２０の両端部にそれぞれ設けられて支柱１２の上端部に係止される係止金具２１と、を備え、係止金具２１は、連結バー２０の上面に沿って連結バー２０の端部からその軸線方向に突出する上部プレート部２２と、上部プレート部２２の先端部から連結バー２０の端面と定められた間隔を隔てて対向するよう形成された挿入片２３と、を備え、上部連結材１４は、挿入片２３が支柱１２の内周面１２ｉに突き当たるとともに、連結バー２０の端面２０ｆが支柱１２の外周面１２ｈに突き当たった状態で、支柱１２の上端部に係止され、キャップ６０は、支柱１２の内周面１２ｉから離間する方向への挿入片２３の変位を拘束する。【選択図】図６
2014079270.tif 000002
【特許請求の範囲】
【請求項１】
床面に沿って延び、前記床面上に間隔を隔てて二本一対で設置されるベース脚と、
それぞれの前記ベース脚上に設けられて上方に延び、棚板が装着可能とされた中空筒状の支柱と、
互いに隣接する二本の前記支柱の上端部どうしを連結する上部連結材と、
互いに隣接する二本の前記支柱どうしを下部にて連結する下部連結材と、
前記支柱の上端部に嵌め込まれるキャップと、を備え、
前記上部連結材は、棒状の連結バーと、前記連結バーの両端部にそれぞれ設けられて前記支柱の上端部に係止される係止金具と、を備え、
前記係止金具は、前記連結バーの上面に沿って前記連結バーの端部から該連結バーの軸線方向に突出する上部プレート部と、前記上部プレート部の先端部から前記連結バーの端面と定められた間隔を隔てて対向するよう形成された挿入片と、を備え、
前記上部連結材は、前記挿入片が前記支柱の内周面に突き当たるとともに、前記連結バーの端面が前記支柱の外周面に突き当たった状態で、前記支柱の上端部に係止され、
前記キャップは、前記支柱の内周面から離間する方向への前記挿入片の変位を拘束することを特徴とする物品陳列棚。
【請求項２】
前記挿入片において、前記支柱の内周面に対向する側に、前記内周面に向けて突出する突起が形成されるとともに、
前記支柱の内周面に、前記突起が嵌め込まれる孔または凹部が形成されていることを特徴とする請求項１に記載の物品陳列棚。
【請求項３】
前記キャップにおいて、前記挿入片を前記支柱の内周面に向けて押圧する押圧部が形成されていることを特徴とする請求項１または２に記載の物品陳列棚。
【請求項４】
前記支柱の上端部に、前記上部プレート部が収容される溝が形成されていることを特徴とする請求項１から３のいずれか一項に記載の物品陳列棚。
【請求項５】
前記上部プレート部は、前記連結バーよりも幅広に形成されていることを特徴とする請求項１から４のいずれか一項に記載の物品陳列棚。
【請求項６】
前記連結バーに、前記係止金具の上部プレート部に沿って前記連結バーの前記端面よりも予め定められた寸法だけ突出したガイドプレートが設けられ、
前記係止金具は、前記上部プレート部と前記挿入片との折り曲げ部分が前記ガイドプレートに突き当たっていることを特徴とする請求項１から５のいずれか一項に記載の物品陳列棚。
【発明の詳細な説明】
【技術分野】
【０００１】
本発明は、店舗等において物品の展示のために設置される物品陳列棚に関する。
【背景技術】
【０００２】
店舗において商品等の物品を展示するための物品陳列棚は、その設置や移動、ディスプレイ方法の変更等を容易に行えるよう、支柱、脚、棚板等からなる組立式のものが多用されている。
【０００３】
このような物品陳列棚においては、床面上に間隔を隔てて二本一対で設置されるベース脚上に、それぞれ上方に延びる支柱が立設され、互いに隣接する二本の支柱どうしが、その上部と下部とでそれぞれ連結材により連結される。
【０００４】
ここで、支柱の上端部に連結される連結材は、中空の支柱の上端部に溝が形成され、この溝に、連結材の端部に設けられたフックが係止されている。
そして、物品陳列棚の耐震性を高めるため、支柱の上端部にフックが係止された連結材が容易に脱落しないよう、中空の支柱にキャップや止め具を嵌め込むことが行われている（例えば、特許文献１〜４参照。）。
【先行技術文献】
【特許文献】
【０００５】
【特許文献１】特開２００５−１９２７６５号公報
【特許文献２】特許第３９９５２２１号公報
【特許文献３】特開平８−３１７８３９号公報
【特許文献４】特開平１１−１５５７０９号公報
【発明の概要】
【発明が解決しようとする課題】
【０００６】
しかし、強大な地震では、キャップや止め具が外れてしまい、連結材のフックが支柱から脱落してしまう可能性がある。連結材と支柱とが外れてしまうと、棚板上の物品や棚板自体が落下してしまう恐れがある。そこで、物品陳列棚においては、さらなる耐震性の向上が望まれている。
【０００７】
そこでなされた本発明は、上部連結材の支柱の上端部への連結強度を高め、耐震性を高めることのできる物品陳列棚を提供することである。
【課題を解決するための手段】
【０００８】
本発明は、上記課題を解決するため、以下の手段を採用する。
すなわち、本発明の物品陳列棚は、床面に沿って延び、前記床面上に間隔を隔てて二本一対で設置されるベース脚と、それぞれの前記ベース脚上に設けられて上方に延び、棚板が装着可能とされた中空筒状の支柱と、互いに隣接する二本の前記支柱の上端部どうしを連結する上部連結材と、互いに隣接する二本の前記支柱どうしを下部にて連結する下部連結材と、前記支柱の上端部に嵌め込まれるキャップと、を備え、前記上部連結材は、棒状の連結バーと、前記連結バーの両端部にそれぞれ設けられて前記支柱の上端部に係止される係止金具と、を備え、前記係止金具は、前記連結バーの上面に沿って前記連結バーの端部から該連結バーの軸線方向に突出する上部プレート部と、前記上部プレート部の先端部から前記連結バーの端面と定められた間隔を隔てて対向するよう形成された挿入片と、を備え、前記上部連結材は、前記挿入片が前記支柱の内周面に突き当たるとともに、前記連結バーの端面が前記支柱の外周面に突き当たった状態で、前記支柱の上端部に係止され、前記キャップは、前記支柱の内周面から離間する方向への前記挿入片の変位を拘束することを特徴とする。
このようにして、挿入片と連結バーの端面とで、支柱を内周面側と外周面側とで挟み込み、さらに挿入片が支柱の内周面から離間する方向に変位するのをキャップにより拘束することで、上部連結材を支柱の上端部に強固に連結できる。
【０００９】
本発明は、挿入片において、前記支柱の内周面に対向する側に、前記内周面に向けて突出する突起が形成されるとともに、前記支柱の内周面に、前記突起が嵌め込まれる孔または凹部が形成されていることを特徴とすることもできる。挿入片の突起が支柱の内周面に形成された孔または凹部に嵌め込まれることで、上部連結材の支柱上端部への連結強度を高めることができる。
さらに、キャップが、支柱の内周面から離間する方向への挿入片の変位を拘束するので、突起が凹部から抜けるのを抑えることができ、上部連結材の支柱上端部への連結強度がさらに高められる。
【００１０】
また、本発明は、キャップにおいて、前記挿入片を前記支柱の内周面に向けて押圧する押圧部が形成されているものとすることができる。
これにより、挿入片が、より強く支柱の内周面に押圧され、上部連結材の支柱上端部への連結強度がさらに高められる。
【００１１】
本発明は、前記支柱の上端部に、前記上部プレート部が収容される溝が形成されているものとすることができる。
この溝は、上部プレート部を収容するものであり、その深さは上部プレート部に基づいて決まるため、その深さを上部プレート部の板厚と同等まで小さくすることができる。このような溝が小さければ小さいほど、支柱の上端部における強度を高いものとすることができる。
【００１２】
また、本発明は、上部プレート部は、前記連結バーよりも幅広に形成されていることを特徴とすることができる。
【００１３】
さらに、本発明は、前記連結バーに、前記係止金具の上部プレート部に沿って前記連結バーの前記端面よりも予め定められた寸法だけ突出したガイドプレートが設けられ、前記係止金具は、前記上部プレート部と前記挿入片との折り曲げ部分が前記ガイドプレートに突き当たっていることを特徴とすることができる。
係止金具を、平板状のプレート材から折り曲げることによって形成する場合、ガイドプレートを、上部プレート部と前記挿入片との折り曲げ部分に押し当てた状態で折り曲げるのが好ましい。これにより、連結バーの端面と挿入片との間隔を、ガイドプレートによって高精度に設定することが可能となる。
【発明の効果】
【００１４】
本発明によれば、上部連結材の支柱の上端部への連結強度を高めることができ、耐震性を高めることが可能となる。これにより、棚板上の物品や棚板自体が落下してしまうのを防いで、被害を抑えることができる。
【図面の簡単な説明】
【００１５】
【図１】本実施形態に係る物品陳列棚の外観を示す斜視図である。
【図２】下部連結材を示す正面図である。
【図３】上部連結材を支柱に係止させた状態を示す斜視図である。
【図４】上部連結材の端部を示す平面図および正面図である。
【図５】係止金具の形成方法の流れを示す概略図である。
【図６】上部連結材と支柱との連結構造を示す正断面図である。
【図７】上部連結材と支柱との連結構造を示す斜視展開図である。
【図８】キャップを示す正面図および底面図である。
【発明を実施するための形態】
【００１６】
以下、添付図面を参照して、本発明による物品陳列棚を実施するための最良の形態を説明する。しかし、本発明はこれらの実施例のみに限定されるものではない。
図１に示すように、物品陳列棚１０は、床面に沿って延び、床面上に間隔を隔てて互いに平行に設置される二本一対のベース脚１１と、各ベース脚１１上に設けられて上方に延び、棚板が装着可能とされた二本一対の支柱１２，１２と、互いに隣接する二本の支柱１２，１２の下部どうしを互いに連結する下部連結材１３と、互いに隣接する二本の支柱１２，１２の上部どうしを互いに連結する上部連結材１４と、を備えている。互いに隣接する二本のベース脚１１，１１の先端部１１ｓ，１１ｓ間には、キックプレート３２を架け渡たすこともできる。
【００１７】
ベース脚１１は、床面に沿って延びる断面矩形の中空筒状で、その下面１１ａに床面に接地するパッド１５を備えている。
【００１８】
支柱１２は、断面矩形の中空筒状で、その前後面１２ｆ，１２ｒに、棚板等を係止するため、長手方向に所定の間隔をあけて略矩形状の係止孔１６が複数貫通形成されている。ここで、係止孔１６は、支柱の前後面１２ｆ，１２ｒの幅方向に２列に形成されている。これは、支柱１２の幅方向両側に棚板等のオプション部材が係止できるようにするためである。
また、支柱１２は、その両側面１２ａ，１２ｂに、下部連結材１３、上部連結材１４等を係止するため、略矩形状の係止孔１７Ａや係止溝（溝）１７Ｂが貫通形成されている。
【００１９】
図２に示すように、下部連結材１３は、断面矩形の中空筒状をなした連結バー１８と、連結バー１８の両端部に設けられた係止金具１９と、が一体に設けられている。
係止金具１９は、連結バー１８の少なくとも両側面に溶接されたプレート１９ａ，１９ａと、プレート１９ａ，１９ａに突出形成された係止フック１９ｂ，１９ｂと、最下段のベース棚を備える場合にその後端部を係止させる係止爪１９ｃ，１９ｃと、を有する。そして、下部連結材１３は、両端に突出形成された係止フック１９ｂ，１９ｂを両側の支柱１２，１２の係止孔１７Ａ，１７Ａに係止させることにより、両側の支柱１２，１２をその下部どうしにおいて互いに連結する。
【００２０】
図３，図４に示すように、上部連結材１４は、断面矩形の筒状をなした連結バー２０と、連結バー２０の両端部に設けられた係止金具２１と、が一体に設けられている。
【００２１】
係止金具２１は、連結バー２０の上面に沿う上部プレート部２２と、上部プレート部２２の先端部２２ｅから直交する方向に延びる挿入片２３とからなる、側面視略Ｌ字状をなしている。
【００２２】
図４に示すように、上部プレート部２２は、連結バー２０の上面に溶接されている。上部プレート部２２は、連結バー２０の長さ方向中間部側の端部２２ａから、連結バー２０の端部２０ａに向けて、その幅が漸次拡大するテーパ部２２ｂを有している。このテーパ部２２ｂの端部２２ａ側の幅Ｗ１は、連結バー２０の幅Ｗ０と同等とされ、テーパ部２２ｂの他方の端部２２ｃ側は、連結バー２０の幅Ｗ０よりも大きな幅Ｗ２に設定されている。上部プレート部２２は、このテーパ部２２ｂよりも連結バー２０の端部２０ａ側が、一定の幅Ｗ２を有した幅広プレート部２２ｄとされている。そして、幅広プレート部２２ｄにおいて、テーパ部２２ｂとは反対側に位置する上部プレート部２２の端部２２ｃは、連結バー２０の端部２０ａよりも連結バー２０の軸線方向に張り出すよう設けられている。
【００２３】
挿入片２３は、上部プレート部２２の端部２２ｃから、連結バー２０の端面２０ｆに対向し、かつ、連結バー２０の軸線に直交する面内（連結バー２０の端面２０ｆに平行な面内）に位置するよう設けられている。この挿入片２３は、上部プレート部２２の幅広プレート部２２ｄの幅Ｗ２と同じ幅Ｗ２で形成されている。
このようにして、挿入片２３は、連結バー２０の端面２０ｆに平行で、連結バー２０の端面２０ｆとの間に、予め定めた間隔ｃを隔てて形成されている。
【００２４】
また、挿入片２３には、連結バー２０の端面２０ｆの下端部２０ｆ１に対向した位置に、端面２０ｆ側に突出する突起３０が、プレス加工によって形成されている。
【００２５】
図５に示すように、このような係止金具２１は、プレス加工により鋼板を所定形状に打ち出したプレート材２５を折り曲げ加工することによって、上部プレート部２２と挿入片２３とが略Ｌ字状に形成される。ここで、通常、折り曲げ加工により上部プレート部２２と挿入片２３とをＬ字状に折り曲げると、連結バー２０に対向する側の表面２２ｆと表面２３ｆとが、折り曲げ部ＬにおいてＲ形状をなす。これに対し、本実施形態では、図５（ｃ）に示すように、係止金具２１の上部プレート部２２と挿入片２３において、連結バー２０に対向する側の表面２２ｆ，２３ｆが、折り曲げ部Ｌにおいて、直角部２６を形成するようになっている。
これには、図５（ａ）、（ｂ）に示すように、所定形状に打ち出したプレート材２５に、断面Ｖ字状の溝２７をプレス機のパンチ１００によって形成しておく。
次いで、図５（ｃ）に示すように、このプレート材２５の溝２７に再びパンチ１００を当て、ダイ１０１との間でプレスすることにより、折り曲げ加工する。これにより、上部プレート部２２と挿入片２３とがＬ字状に折り曲げられ、その折り曲げ部Ｌに直角部２６が形成される。
【００２６】
図４に示したように、連結バー２０には、係止金具２１の上部プレート部２２に沿った側に、端面２０ｆから連結バー２０の軸線方向に突出したガイドプレート２９が形成されている。ガイドプレート２９は、その先端面２９ｆが、連結バー２０の端面２０ｆと平行に形成されている。このガイドプレート２９は、端面２０ｆからの突出寸法が、挿入片２３と連結バー２０の端面２０ｆとの間隔ｃと同寸法に設定されている。
【００２７】
さて、図３に示すように、支柱１２の上端部に形成された係止溝１７Ｂは、それぞれ、係止金具２１の上部プレート部２２の幅広プレート部２２ｄを挿入できる幅Ｗ５を有している。ここで、係止溝１７Ｂの幅Ｗ５は、幅広プレート部２２ｄの幅Ｗ２よりは大きいものの、係止溝１７Ｂ内で係止金具２１が幅方向にガタつかないよう、なるべく小さくするのが好ましい。
また、この係止溝１７Ｂの深さｄは、上部プレート部２２の厚さｔとほぼ同じ寸法に設定されている。係止溝１７Ｂの深さｄは、大きくなればなるほど、支柱１２の上端部における剛性が低下するため、なるべく小さくするのが好ましい。
【００２８】
支柱１２の側面１２ａ，１２ｂには、その係止溝１７Ｂの下方位置に、貫通孔（孔）３１が形成されている。この貫通孔３１は、係止溝１７Ｂからの距離が、係止金具２１の上部プレート部２２の表面２２ｆから突起３０までの距離と等しくなるよう形成されている。
【００２９】
上記のような構成において、上部連結材１４を支柱１２の上端部に連結するには、図３に示すように、その両端部の係止金具２１の挿入片２３を、支柱１２の軸線方向に沿って支柱１２内に挿入していく。このとき、支柱１２の側面１２ａ，１２ｂが、挿入片２３と連結バー２０の端面２０ｆと間の隙間に挿入される。
なお、このとき、挿入片２３に形成された突起３０が、支柱１２の側面１２ｂの内周面１２ｉに突き当たることで、挿入片２３は連結バー２０の端面２０ｆから離間する側に弾性変形する。この挿入作業を続行させると、係止金具２１の上部プレート部２２の表面２２ｆが、支柱１２の側面１２ｂの上面に突き当たる。すると、突起３０が貫通孔３１に嵌め込まれる。
【００３０】
この状態で、図６に示すように、上部連結材１４の係止金具２１は、挿入片２３が支柱１２の側面１２a，１２ｂの内周面１２ｉに突き当たり、連結バー２０の端面２０ｆが支柱１２の側面１２a，１２ｂの外周面１２ｈに突き当たり、面接触する。これにより、挿入片２３と連結バー２０の端面２０ｆとの間に、支柱１２の側面１２ａ，１２ｂが挟み込まれた状態となる。
【００３１】
図３、図７に示すように、このようにして上部連結材１４の係止金具２１が係止された支柱１２の上端部の開口には、キャップ６０が装着される。
図３、図６、図８に示すように、キャップ６０は、支柱１２を断面視したときの外形寸法とほぼ同寸法に形成されたカバープレート部６１と、このカバープレート部６１からその表面６１ａに直交する方向に延び、支柱１２の内部に挿入される挿入部６２と、が一体に形成された構成を有している。これにより、カバープレート部６１は、挿入部６２よりも外周側に張り出して形成されている。
【００３２】
挿入部６２は、支柱１２の内部空間にこれを挿入したときに側面１２ａ，１２ｂに対向する位置に形成された、互いに平行なサイドプレート６３，６３と、これらサイドプレート６３，６３どうしをその幅方向中間部で連結する連結部６４と、を備えた、断面略Ｈ字状とされている。
【００３３】
各サイドプレート６３には、挿入部６２において外周を向く側（支柱１２の側面１２ａ，１２ｂの内周面１２ｉに対向する側）に、カバープレート部６１の表面６１ａに直交する方向に連続する溝６５が形成されている。この溝６５は、係止金具２１の挿入片２３を収容できるよう、挿入片２３の幅Ｗ２より大きな幅Ｗ６を有している。
【００３４】
溝６５において、挿入部６２で外周を向く側（支柱１２の側面１２ａ，１２ｂの内周面１２ｉに対向する側）の溝底面６５ａには、カバープレート部６１の表面６１ａに直交する方向に延びる二本の突条（押圧部）６６，６６が、溝６５の幅方向に間隔を隔てて突出形成されている。
【００３５】
また、サイドプレート６３において、溝底面６５ａに直交する側面６３ａには、カバープレート部６１に直交する方向に延びる突条６８が突出形成されている。
【００３６】
図６に示すように、このようなキャップ６０は、挿入部６２を支柱１２の内部空間に挿入することで、支柱１２の上端部の開口に装着される。このとき、サイドプレート６３に形成された突条６８により、支柱１２内での挿入部６２のガタつきが押さえられている。
カバープレート部６１が支柱１２の上面に突き当たった状態で、サイドプレート６３は、挿入片２３に形成された突起３０よりも下方まで延びるよう形成されている。これによって、挿入片２３のほぼ全体がサイドプレート６３によって内側から押さえられることになる。
【００３７】
支柱１２の内部空間に挿入された挿入部６２においては、挿入片２３がサイドプレート６３の溝６５内に収容される。このとき、挿入片２３は、溝６５の溝底面６５ａに形成された突条６６，６６により、支柱１２の内周面１２ｉ側に押圧される。これにより、挿入片２３に形成された突起３０が支柱１２の側面１２ａ，１２ｂの貫通孔３１に嵌合した状態で、突起３０が貫通孔３１から抜け出る方向（内周面１２ｉ側から離間する方向）に挿入片２３が変形するのを拘束する。しかも、サイドプレート６３は、連結部６４により、支柱１２の側面１２ａから離間する方向に変形するのが拘束されている。
このようにして、キャップ６０により、挿入片２３の突起３０が貫通孔３１から抜け出るのを防ぎ、これによって、上部連結材１４の支柱１２に対する連結が不用意に解除されるのを防ぐことができる。
【００３８】
このようにして、図７に示すように、キャップ６０を支柱１２に嵌め込んだ時点で、上部連結材１４が支柱１２，１２の上端部の間に連結される。
【００３９】
上述したような構成によれば、上部連結材１４は、挿入片２３が支柱１２の内周面１２ｉに突き当たり、連結バー２０の端面２０ｆが支柱１２の外周面１２ｈに突き当たることで、挿入片２３と連結バー２０の端面２０ｆとによって支柱１２の側面１２ａ，１２ｂを挟み込んだ状態で支柱１２に係止される。このとき、連結バー２０の端面２０ｆと挿入片２３との間隔が、支柱１２の側面１２ａ，１２ｂを形成する材料の厚さに対応しているため、上部連結材１４と支柱１２とのガタつきが抑えられる。
さらに、挿入片２３に設けられた突起３０が側面１２ａ，１２ｂに形成された貫通孔３１に嵌合される。
しかも、支柱１２の内部空間に挿入されたキャップ６０のサイドプレート６３により、挿入片２３が支柱１２の内周面１２ｉに押し付けられ、突起３０と貫通孔３１との嵌合が解除される方向（内周面１２ｉから離間する方向）に挿入片２３が変形するのが拘束されている。
このようにして、強大な地震等により横方向の外力が作用したときにも、係止金具２１が支柱１２の上端部から外れるのを確実に防ぐことができる。その結果、物品陳列棚１０の耐震性を高めることができる。
しかも、上部連結材１４は、支柱１２に対して上方から嵌め込んだ後、キャップ６０を装着するのみでよく、組立作業を容易に行うことができる。
【００４０】
また、係止金具２１は、上部プレート部２２と挿入片２３とを、折り曲げ加工により形成しながら、連結バー２０の端部２０ａにガイドプレート２９を設けることによって、連結バー２０の端面２０ｆと挿入片２３との間隔を高精度に形成している。
さらに、上部プレート部２２と挿入片２３との折り曲げ部Ｌに断面Ｖ字状の溝２７を形成しておくことで、折り曲げ加工後、折り曲げ部Ｌに直角部２６が形成されるようになっている。これによって、ガイドプレート２９が隙間なく折り曲げ部Ｌに突き当たるため、これによっても、連結バー２０の端面２０ｆと挿入片２３との間隔を高精度に形成することが可能となっている。
【００４１】
（その他の実施形態）
なお、本発明の物品陳列棚は、図面を参照して説明した上述の各実施形態に限定されるものではなく、その技術的範囲において様々な変形例が考えられる。
例えば、支柱１２には、棚板に限らず、他の様々なオプション部品を装着することができる。
また、上記実施形態では、物品陳列棚１０は、二本の支柱１２，１２のみを備える構成としたが、三本以上の支柱１２を併設し、互いに隣接する二本の支柱１２，１２間を下部連結材１３、上部連結材１４で連結して棚板を設けるようにしても良い。
これ以外にも、本発明の主旨を逸脱しない限り、上記実施の形態で挙げた構成を取捨選択したり、他の構成に適宜変更することが可能である。
【符号の説明】
【００４２】
１０  物品陳列棚
１１  ベース脚
１２  支柱
１２ａ，１２ｂ  側面
１２ｆ  前後面
１２ｈ  外周面
１２ｉ  内周面
１３  下部連結材
１４  上部連結材
１５  パッド
１６  係止孔
１７Ａ  係止孔
１７Ｂ  係止溝（溝）
１８  連結バー
１９  係止金具
２０  連結バー
２０ａ  端部
２０ｆ  端面
２０ｆ１  下端部
２１  係止金具
２２  上部プレート部
２２ａ  端部
２２ｂ  テーパ部
２２ｃ  端部
２２ｄ  幅広プレート部
２２ｅ  先端部
２２ｆ  表面
２３  挿入片
２３ｆ  表面
２５  プレート材
２６  直角部
２７  溝
２９  ガイドプレート
２９ｆ  先端面
３０  突起
３１  貫通孔（孔）
３２  キックプレート
６０  キャップ
６１  カバープレート部
６１ａ  表面
６２  挿入部
６３  サイドプレート
６４  連結部
６５  溝
６５ａ  溝底面
６６  突条（押圧部）
６８  突条
１００  パンチ
１０１  ダイ
【図１】
2014079270.tif 000003
【図２】
2014079270.tif 000004
【図３】
2014079270.tif 000005
【図４】
2014079270.tif 000006
【図５】
2014079270.tif 000007
【図６】
2014079270.tif 000008
【図７】
2014079270.tif 000009
【図８】
2014079270.tif 000010